(57)【要約】【課題】原画像データにＲＩＰ処理を施してラスターデータを取得し、その取得したラスターデータにスムージング処理を施して出力画像データを生成する画像処理装置において、より低い解像度でＲＩＰ処理を施すようにする。【解決手段】主走査方向および／または副走査方向についてフィルタの一部が重なるように対応付けすることによりラスターデータの同一画素Ｉ１０、Ｉ１１、Ｉ１２を重複して用いて隣接する出力画素Ｐ００、Ｐ１０の値をそれぞれ算出し、フィルタの重なりに応じた解像度で原画像データにＲＩＰ処理を施す。【選択図】図４
0003119124.tif 000002
【実用新案登録請求の範囲】
【請求項１】
原画像データに所定の解像度でＲＩＰ処理を施してラスターデータを取得するＲＩＰ処理部と、該ＲＩＰ処理部により取得されたラスターデータにフィルタを対応付け、該フィルタ内の前記ラスターデータの画素の値に基づいて出力画素の値を算出することによってスムージング処理を施し前記所定の解像度より小さい解像度の出力画像データを生成する出力画像データ生成部とを備えた画像処理装置であって、
前記出力画像データ生成部が、主走査方向および／または副走査方向について前記フィルタの一部が重なるように対応付けすることにより前記ラスターデータの同一画素を重複して用いて隣接する前記出力画素の値をそれぞれ算出するものであり、
前記ＲＩＰ処理部が、前記フィルタの重なりに応じた解像度で前記原画像データにＲＩＰ処理を施してラスターデータを取得するものであることを特徴とする画像処理装置。
【請求項２】
前記フィルタが、前記フィルタの重なりに応じて重み付して算出された値から構成されたものであることを特徴とする請求項１記載の画像処理装置。
【請求項３】
前記フィルタが、前記ラスターデータの画素の位置と前記出力画素の位置との位置関係に基づいて算出された値から構成されたものであることを特徴とする請求項２記載の画像処理装置。
【考案の詳細な説明】
【技術分野】
【０００１】
本考案は、原画像データにＲＩＰ処理を施してラスターデータを取得し、その取得したラスターデータにスムージング処理を施して出力画像データを生成する画像処理装置に関するものである。
【背景技術】
【０００２】
従来、コンピュータによって文字やイラストなどの図形を含む原画像データを作成し、その原画像データをＰＤＬ形式（ページ記述言語）でコンピュータから出力し、そのＰＤＬ形式の原画像データにＲＩＰ処理を施してＣ（シアン）成分、Ｍ（マゼンダ）成分、Ｙ（イエロー）成分、Ｋ（ブラック）成分のラスターデータを作成し、そのラスターデータに基づいてインクジェット記録装置によりカラー画像を形成する画像形成方法が提案されている。
【０００３】
ここで、たとえば、上記のようにして作成されたラスターデータに基づいて「Ａ」という文字を形成した場合、図９（Ａ）に示すように、ドットの大きさ（解像度）によって、文字のエッジ部分にがたつきが発生する。
【０００４】
そこで、多階調表現可能なインクジェット記録装置の場合、たとえば、ラスターデータに対し、オーバーサンプリング法などによってスムージング処理を施すことによって、中間濃度のデータを生成することで、上記のようながたつきを目立たなくする方法が提案されている。オーバーサンプリング法とは、高解像度のラスターデータをｎ×ｎの画素集合に分け、各画素集合の平均濃度値を１画素の濃度値として出力画像データを生成する方法である。
【０００５】
具体的には、たとえば、１画素毎に、インクの吐出回数を０から７ドロップの範囲で切り替えることにより、１画素当たり８階調（８値）の表現可能なインクジェット記録装置の場合、上記オーバーサンプリング法を用いて上記濃度値を算出し、その濃度値に基づいて８階調の画素値を生成し、その８階調の画素値に基づいてインクドロップ数を８段階変化させてドットを形成することによって文字のエッジ部分に中間濃度のドットを配置することによりがたつきを目立たなくすることができる（図９（Ｂ）参照）。
【０００６】
ここで、たとえば、出力解像度が３００×６００ｄｐｉ、出力階調が６階調に設定されたインクジェット記録装置に入力される出力画像データを上記のようなオーバーサンプリングを行って生成する場合、従来は、たとえば、９００×１２００ｄｐｉの解像度の２階調のラスターデータが得られるように原画像データにＲＩＰ処理を施し、その９００×１２００ｄｐｉのラスターデータを、図１０に示すように３×２の画素集合に分け、図１０に示す数式を計算することによりオーバーサンプリングを行って各出力画素値Ｐ００を算出し、出力画像データを生成するようにしていた。なお、上記のように９００×１２００ｄｐｉの解像度でＲＩＰ処理をするのは、出力解像度が３００×６００ｄｐｉ、出力階調が６階調の場合、そのデータ量は３００×６００×５（最大インクドロップ数）＝９０００００であり、９００×１２００ｄｐｉでＲＩＰ処理を施せば、そのデータ量は９００×１２００ｄｐｉ＝１０８００００となり十分であるからである。なお、上記データ量とは、単位面積あたりの階調数を意味する。ここでは、一例として、１平方インチ当たりの階調数の場合の説明を行っている。
【特許文献１】特開平１１−６９１６３号公報
【特許文献２】特開平１０−３３６４５４号公報
【特許文献３】特開平５−２３３７９２号公報
【特許文献４】特開平９−１４９２４２号公報
【特許文献５】特開２００１−１０５６６３号公報
【考案の開示】
【考案が解決しようとする課題】
【０００７】
しかしながら、現実には、９００×１２００ｄｐｉといった主走査方向と副走査方向とが異なる解像度でリッピングができなかったり、あるいは入力解像度が一定レベルをこえるとリソース不足のために処理できなかったりする問題がある。また、入力解像度が高いほど、処理速度は比例して低下するという問題がある。
【０００８】
本考案は、上記のように原画像データにＲＩＰ処理を施してラスターデータを取得し、その取得したラスターデータにスムージング処理を施して出力画像データを生成する画像処理装置において、より低い入力解像度でリッピングすることができるとともに、適切なスムージング処理を施すことができる画像処理装置を提供することを目的とするものである。
【課題を解決するための手段】
【０００９】
本考案の画像処理装置は、原画像データに所定の解像度でＲＩＰ処理を施してラスターデータを取得するＲＩＰ処理部と、ＲＩＰ処理部により取得されたラスターデータにフィルタを対応付け、フィルタ内のラスターデータの画素の値に基づいて出力画素の値を算出することによってスムージング処理を施し所定の解像度より小さい解像度の出力画像データを生成する出力画像データ生成部とを備えた画像処理装置であって、出力画像データ生成部が、主走査方向および／または副走査方向についてフィルタの一部が重なるように対応付けすることによりラスターデータの同一画素を重複して用いて隣接する出力画素の値をそれぞれ算出するものであり、ＲＩＰ処理部が、フィルタの重なりに応じた解像度で原画像データにＲＩＰ処理を施してラスターデータを取得するものであることを特徴とする。
【００１０】
また、上記本考案の画像処理装置においては、フィルタを、フィルタの重なりに応じて重み付して算出された値から構成するようにすることができる。
【００１１】
また、フィルタを、ラスターデータの画素の位置と出力画素の位置との位置関係に基づいて算出された値から構成するようにすることができる。
【考案の効果】
【００１２】
本考案の画像処理装置によれば、主走査方向および／または副走査方向についてフィルタの一部が重なるように対応付けすることによりラスターデータの同一画素を重複して用いて隣接する出力画素の値をそれぞれ算出し、フィルタの重なりに応じた解像度で原画像データにＲＩＰ処理を施してラスターデータを取得するようにしたので、従来の画像処理装置よりも低い解像度でＲＩＰ処理を施すようにすることができる。
【００１３】
そして、さらに、上記フィルタを、フィルタの重なりに応じて重み付して算出された値から構成するようにした場合には、より適切なスムージング処理を施すようにすることができる。
【考案を実施するための最良の形態】
【００１４】
以下、図面を参照して本考案の画像処理装置の一実施形態を用いたインクジェット記録システムについて詳細に説明する。図１は、本インクジェット記録システムの概略構成を示すブロック図である。
【００１５】
本インクジェット記録システムは、図１に示すように、文字や写真、イラストなどを含む原画像データを作成可能なアプリケーションがインストールされ、原画像データをＰＤＬ形式（ページ記述言語）で出力するコンピュータ１０と、コンピュータ１０から出力された原画像データを受け付け、その原画像データにＲＩＰ処理を施してＲ成分、Ｇ成分、Ｂ成分のラスターデータをそれぞれ生成するＲＩＰ処理部２０と、ＲＩＰ処理部２０においてＲＩＰ処理の行う際のＲＩＰ解像度を取得するＲＩＰ解像度取得部２１と、ＲＩＰ処理部２０において生成されたＲ成分、Ｇ成分、Ｂ成分のラスターデータをＣ成分、Ｍ成分、Ｙ成分およびＫ成分のラスターデータに変換するＲＧＢ−ＣＭＹＫ変換部３０と、ＲＧＢ−ＣＭＹＫ変換部３０において変換されたＣ成分、Ｍ成分、Ｙ成分およびＫ成分のラスターデータに対しスムージング処理を施してそれぞれの出力画像データを生成するスムージング処理部４０と、スムージング処理部４０においてスムージング処理を行う際に用いられるフィルタの値を算出するフィルタ値取得部４１と、スムージング処理を行う際に用いられるフィルタのサイズを取得するフィルタサイズ取得部４２と、予め取得された出力解像度および、後述する最大インクドロップ数に基づいて入力解像度を取得する入力解像度取得部４３と、スムージング処理部４０において生成された各出力画像データにスクリーニング処理を施してスクリーニング処理済出力画像データを生成するスクリーニング処理部５０と、スクリーニング処理部５０において生成された各スクリーニング処理済出力画像データに基づいて画像を記録するインクジェット記録装置６０とを備えている。
【００１６】
次に、本インクジェット記録システムの作用について説明する。
【００１７】
まず、コンピュータ１０において、文字や写真、イラストなどを含む原画像データがアプリケーションによって作成される。そして、コンピュータ１０のアプリケーションにおいて印刷指示がなされる。コンピュータ１０は、印刷指示に応じて原画像データをＰＤＬ形式でＲＩＰ処理部２０に出力する。
【００１８】
そして、ＲＩＰ処理部２０においてＰＤＬ形式の原画像データにＲＩＰ処理が施されるが、そのときのＲＩＰ解像度の決定方法について説明する。
【００１９】
まず、インクジェット記録装置６０の出力解像度が予め取得されるとともに、最大インクドロップ数が予め選択される。上記出力解像度および最大インクドロップ数はインクジェット記録装置６０において予め設定するようにしてもよいし、コンピュータ１０において予め設定するようにしてもよい。
【００２０】
また、最大インクドロップ数とは、印刷用紙に記録される各ドットの最大濃度のインクドロップ数であり、出力階調数に対応する情報である。最大インクドロップ数は、直接その値を選択するようにしてもよいし、たとえば、印刷用紙の種類と最大インクドロップ数とを対応付けしておき、印刷用紙の種類を選択することによって最大インクドロップ数を選択するようにしてもよい。
【００２１】
なお、印刷用紙の種類と最大インクドロップ数の対応付けは、印刷用紙の種類とその印刷用紙上で表現可能な最大ドット濃度のインクドロップ数とを対応付けるようにすればよい。印刷用紙の種類によって、インクのにじみや裏抜けの程度が異なり、表現可能な最大ドット濃度が異なるからである。
【００２２】
そして、上記のようにして取得された出力解像度と最大インクドロップ数は入力解像度取得部４３に入力される。そして、入力解像度取得部４３において、出力解像度と最大インクドロップ数とに基づいて入力解像度が取得される。
【００２３】
具体的には、たとえば、出力解像度が３００×６００ｄｐｉ、最大インクドロップ数が５ドロップの場合、データ量は、出力解像度×最大インクドロップ数＝３００×６００×５＝９０００００となる。そして、９００×１２００ｄｐｉ＝１０８００００なので、９００×１２００ｄｐｉの解像度で２階調のラスターデータが得られるようにすればスムージングの実現には十分であり、この入力解像度が取得される。
【００２４】
そして、上記のようにして取得された入力解像度９００×１２００ｄｐｉは、出力解像度３００×６００ｄｐｉとともにフィルタサイズ取得部４２に出力される。そして、フィルタサイズ取得部４２において、主走査方向についての入力解像度９００と出力解像度３００の最大公約数３００が算出されるとともに、副走査方向についての入力解像度１２００と出力解像度６００の最大公約数６００が算出される。主走査方向についての入力解像度９００が主走査方向についての最大公約数３００で除算されて主走査方向についてのフィルタサイズ３が取得される。また、副走査方向についての入力解像度１２００が副走査方向についての最大公約数６００で除算されて副走査方向についてのフィルタサイズ２が取得される。そして、図２に示すような３×２のフィルタが設定される。そして、上記のようにして取得されたフィルタサイズはＲＩＰ解像度取得部２１に出力される。
【００２５】
ここで、たとえば、上記のようにして設定されたフィルタを用いてスムージング処理が施されるラスターデータが、図３に示すような、画素値Ｉ００、Ｉ０１、Ｉ０２、Ｉ１０、Ｉ１１、Ｉ１２、Ｉ２０、Ｉ２１、Ｉ２２、Ｉ３０、Ｉ３１、Ｉ３２からなるものである場合、従来は、画素値Ｉ００、Ｉ０１、Ｉ０２、Ｉ１０、Ｉ１１、Ｉ１２の範囲を入力参照マトリクスｒ１によって参照し、上記画素値とフィルタとを対応付けてオーバーサンプリングして出力画素値Ｐ００を算出し、次に、画素値Ｉ２０、Ｉ２１、Ｉ２２、Ｉ３０、Ｉ３１、Ｉ３２の範囲を入力参照マトリクスｒ２によって参照し、上記画素値とフィルタとを対応付けてオーバーサンプリングして出力画素値Ｐ１０を算出するようにしていた。
【００２６】
これに対し、本実施形態では、図４に示ように、画素値Ｉ００、Ｉ０１、Ｉ０２、Ｉ１０、Ｉ１１、Ｉ１２、Ｉ２０、Ｉ２１、Ｉ２２の範囲を入力参照マトリクスＲとし、その入力参照マトリクスＲの範囲の一部の画素値Ｉ１０、Ｉ１１、Ｉ１２を重複して参照して出力画素値を算出する。具体的には、まず、画素値Ｉ００、Ｉ０１、Ｉ０２、Ｉ１０、Ｉ１１、Ｉ１２とフィルタとを対応付けて下式を演算することによって出力画素値Ｐ００を算出し、次に、画素値Ｉ１０、Ｉ１１、Ｉ１２、Ｉ２０、Ｉ２１、Ｉ２２とフィルタとを対応付けて下式を演算することによって出力画素値Ｐ１０を算出する。なお、Ｗ００、Ｗ０１、Ｗ０２、Ｗ１０、Ｗ１１、Ｗ１２の値については後で詳述する。
【００２７】
Ｐ００＝（Ｉ００×Ｗ００＋Ｉ０１×Ｗ０１＋Ｉ０２×Ｗ０２＋Ｉ１０×Ｗ１０＋Ｉ１１
×Ｗ１１＋Ｉ１２×Ｗ１２）／（Ｗ００＋Ｗ０１＋Ｗ０２＋Ｗ１０＋Ｗ１１＋
Ｗ１２）
Ｐ１０＝（Ｉ１０×Ｗ００＋Ｉ１１×Ｗ０１＋Ｉ１２×Ｗ０２＋Ｉ２０×Ｗ１０＋Ｉ１１
×Ｗ１１＋Ｉ２２×Ｗ１２）／（Ｗ００＋Ｗ０１＋Ｗ０２＋Ｗ１０＋Ｗ１１＋
Ｗ１２）
上記のように同じ画素値を副走査方向について重複して参照するようにしたので、副走査方向のＲＩＰ解像度は、以下のようにして算出することができる。
【００２８】
副走査方向のＲＩＰ解像度＝入力参照マトリクスＲの副走査方向のサイズ／フィルタの副走査方向のサイズ×副走査方向についての出力解像度＝３／２×６００＝９００
上記のようにしてＲＩＰ解像度がＲＩＰ解像度取得部２１において取得され、９００×９００ｄｐｉの解像度がＲＩＰ処理部２０に出力される。なお、入力参照マトリクスＲの副走査方向のサイズは予めＲＩＰ解像度取得部２１に設定されているものとする。
【００２９】
そして、ＲＩＰ処理部２０は、上記のようにして取得されたＲＩＰ解像度に基づいて原画像データにＲＩＰ処理を施すことによってＲ成分、Ｇ成分、Ｂ成分のラスターデータをそれぞれ生成する。なお、Ｒ成分、Ｇ成分、Ｂ成分のラスターデータの各画素データは、たとえば、８ｂｉｔで表されるデータである。
【００３０】
そして、ＲＩＰ処理部２０で生成されたＲ成分、Ｇ成分、Ｂ成分のラスターデータはＲＧＢ−ＣＭＹＫ変換部３０に出力され、ＲＧＢ−ＣＭＹＫ変換部３０において、Ｃ成分、Ｍ成分、Ｙ成分、Ｋ成分のラスターデータに変換される。なお、Ｃ成分、Ｍ成分、Ｙ成分、Ｋ成分のラスターデータの各画素データも、たとえば、８ｂｉｔで表されるデータである。
【００３１】
そして、ＲＧＭ−ＣＭＹＫ変換部３０において生成されたＣ成分、Ｍ成分、Ｙ成分、Ｋ成分のラスターデータは、スムージング処理部４０に出力され、スムージング処理部４０において、図４で説明したようにラスターデータとフィルタとが対応付けられて各出力画素値が算出され、３００×６００ｄｐｉの出力画像データが生成される。
【００３２】
ここで、スムージング処理部４０において出力画素値を算出する際に用いられるフィルタの値の求め方について説明する。
【００３３】
上述したように、本実施形態においては、ＲＩＰ解像度が９００×９００ｄｐｉであるので、入力参照画素値Ｉ００、Ｉ０１、Ｉ０２、Ｉ１０、Ｉ１１、Ｉ１２、Ｉ２０、Ｉ２１、Ｉ２２の位置関係は、図５に示すような関係となる。なお、図５においては、入力参照画素の位置を黒丸で示している。
【００３４】
そして、図５に示すような入力参照画素の位置関係と出力画素値の位置とを、図６に示すように対応付けする。なお、図６においては、出力画素Ｐ００、Ｐ１０の位置を×印で示している。
【００３５】
そして、入力参照画素から出力画素までの副走査方向についての距離を計算する。具体的には、入力参照画素Ｉ００、Ｉ０１、Ｉ０２、Ｉ１０、Ｉ１１、Ｉ１２から出力画素Ｐ００までの距離をそれぞれ求める。入力参照画素Ｉ００、Ｉ０１、Ｉ０２から出力画素Ｐ００までの距離は１／３６００＝（１／９００＋１／１８００）−（１／１２００＋１／１８００）であり、入力参照画素Ｉ１０、Ｉ１１、Ｉ１２から出力画素Ｐ００までの距離は３／３６００である。
【００３６】
そして、図７（Ａ）に示すように、上記距離の逆数を正規化して出力画素Ｐ００用のフィルタ値を求める。
【００３７】
また、上記と同様に、入力参照画素Ｉ１０、Ｉ１１、Ｉ１２、Ｉ２０、Ｉ２１、Ｉ２２から出力画素Ｐ１０までの距離をそれぞれ求める。入力参照画素Ｉ１０、Ｉ１１、Ｉ１２から出力画素Ｐ１０までの距離は３／３６００であり、入力参照画素Ｉ２０、Ｉ２１、Ｉ２２から出力画素Ｐ１０までの距離は１／３６００である。
【００３８】
そして、上記距離の逆数を正規化して、図７（Ｂ）に示すような出力画素Ｐ１０用のフィルタ値を求める。
【００３９】
なお、本実施形態においては、上記のように入力参照画素と出力画素との距離の逆数を正規化してフィルタ値を求めるようにしたが、これに限らず、たとえば、入力参照画素と出力画素の副走査方向および／または主走査方向についての距離の逆数を正規化してフィルタ値を求めるようにしてもよい。
【００４０】
そして、上記のようにして算出されたフィルタ値がフィルタ値取得部４１において取得され、そのフィルタ値がフィルタサイズ取得部４２において取得されたフィルタに当てはめられ、そのフィルタがスムージング処理部４０に出力される。
【００４１】
そして、スムージング処理部４０において、入力参照画素値Ｉ００、Ｉ０１、Ｉ０２、Ｉ１０、Ｉ１１、Ｉ１２、Ｉ２０、Ｉ２１、Ｉ２２とフィルタとが対応付けられ、下式を計算することによって出力画素値Ｐ００、Ｐ１０が算出される。
【００４２】
Ｐ００＝（Ｉ００×３＋Ｉ０１×３＋Ｉ０２×３＋Ｉ１０×１＋Ｉ１１×１＋Ｉ１２×
２）／（３＋３＋３＋１＋１＋１）
Ｐ１０＝（Ｉ１０×１＋Ｉ１１×１＋Ｉ１２×１＋Ｉ２０×３＋Ｉ２１×３＋Ｉ２２×
３）／（１＋１＋１＋３＋３＋３）
そして、上記のようにして各成分のラスターデータについて、各出力画素値を算出することによって、各成分について３００×６００ｄｐｉの出力画像データが生成される。
【００４３】
そして、上記のようにして各成分について生成された出力画像データは、スクリーニング処理部５０に出力される。そして、スクリーニング処理部５０において、各成分の出力画像データに対し、予め選択された階調数を考慮してスクリーニング処理が施される。上記スクリーニング処理としては、たとえば、網点処理や誤差拡散処理などが施される。なお、上記予め選択された階調数とは上記最大インクドロップ数に対応する階調数である。
【００４４】
そして、上記スクリーニング処理は、各ドットが上記階調数の濃度で表現されるように、に施される。たとえば、決定された階調数が８階調の場合、各スクリーニング処理済出力画像データの各画素データは３ビットのデータに変換される。
【００４５】
そして、上記のようにして生成された各成分のスクリーニング処理済出力画像データはインクジェット記録装置６０に出力され、各成分のスクリーニング処理済画像出力データに基づいて、各成分の記録ヘッドからインクが吐出され、印刷用紙に画像が記録される。たとえば、上記スクリーニング処理済出力画像データが６階調を表すデータの場合、記録ヘッドから、０から５ドロップの６階調のドット濃度で印刷用紙に吐出されることで画像が記録される。なお、インクジェット記録装置における画像の記録の作用については後で詳述する。
【００４６】
次に、本インクジェット記録システムにおけるインクジェット記録装置６０について簡単に説明する。
【００４７】
インクジェット記録装置６０は、図８に示すように、スクリーニング処理部５０から出力された各スクリーニング処理済出力画像データに基づいて制御信号を生成する制御部７０と、制御部７０からの制御信号に基づいて印刷用紙にインクを吐出して画像を記録するインクジェットヘッドユニット６１と、印刷用紙が載置される給紙部６２と、給紙部６２から繰り出された印刷用紙をインクジェットヘッドユニット６１まで搬送するベルト搬送部６３と、両面印刷時に印作用紙を搬送するための両面用ベルト搬送部６４と、両面印刷時に片面印刷の施された印刷用紙が一旦排紙される両面用スタックトレー６５と、ベルト搬送部６３により搬送されるとともにインクジェットヘッドユニット６１により画像が記録された印刷用紙が排紙される排紙部６６と、所定の印刷条件を入力可能なタッチパネル６７とを備えている。
【００４８】
インクヘッドジェットユニット６１は、Ｙ成分、Ｍ成分、Ｃ成分およびＫ成分のスクリーニング処理済出力画像データに対応した記録ヘッド６１Ａ〜６１Ｄを備えている。
【００４９】
ベルト搬送部６３は、ベルトに多数の穴を開けた無端ベルトにより形成され、不図示の吸引ファンにより空気を穴から吸引することにより発生する負圧で印刷用紙をベルトに吸着させ、印刷用紙を矢印Ａ方向に搬送するものである。
【００５０】
両面用ベルト搬送部６４は、ベルト搬送部６３と同様に、ベルトに多数の穴を空けた無端ベルトにより形成されており、片面印刷の施された印刷用紙を両面用スタックトレー６５まで搬送し、両面用スタックトレー６５に排紙するものである。
【００５１】
両面用スタックトレー６５は、両面用ベルト搬送部６４により搬送された片面印刷済印刷用紙が一旦載置されるものであるとともに、該載置された片面印刷済印刷用紙を載置された順で繰り出すことにより、印刷用紙の裏側に印刷が施されるようベルト搬送部６３に片面印刷済印刷用紙を排紙するものである。
【００５２】
次に、インクジェット記録装置６０の作用について説明する。
【００５３】
給紙部６２に載置された印刷用紙が、ベルト搬送部６３に送り出され、ベルト搬送部６３は、印刷用紙を所定の一定の搬送速度で矢印Ａ方向に搬送し、インクジェットヘッドユニット６１付近まで搬送する。そして、ベルト搬送部６３により搬送された印刷用紙に記録ヘッド６１Ａ〜６１Ｄから制御部７０から出力された制御信号に基づいてインクが吐出されて画像が記録される。そして、片面印刷を行う場合には、上記のようにして画像が記録された印刷用紙は排紙部６６に排紙される。また、両面印刷を行う場合には、上記のようにして画像が記録された片面印刷済印刷用紙は、ローラ対６８に狭持され、搬送路６９に送り出される。搬送路６９に送り出された片面印刷済印刷用紙はさらにローラ対７０に狭持され、両面用ベルト搬送部６４に搬送される。両面用ベルト搬送部６４は片面印刷済印刷用紙を矢印Ｂ方向に搬送するが、このとき片面印刷済印刷用紙は画像が記録された面を下向きにして搬送される。そして、片面印刷済印刷用紙は画像が記録された面を下に向けたまま両面用スタックトレー６５に排出される。そして、両面用スタックトレー６５に排出された片面印刷済印刷用紙は、両面用スタックトレー６５の底面側から不図示のピックアップローラにより再度両面用ベルト搬送部６４に繰り出され、再び上記片面印刷時と同様の処理によって印刷用紙の裏面に画像が記録される。ただし、裏面印刷時には、おもて面に記録された画像と画像の向きを同じにする必要があるため、１８０°回転させる処理の施されたスクリーニング処理済出力画像データに基づいて画像の記録が行われる。
【図面の簡単な説明】
【００５４】
【図１】本考案の画像処理装置の一実施形態を用いたインクジェット記録システムの概略構成を示すブロック図
【図２】フィルタを示す図
【図３】従来のオーバーサンプリングを説明するための図
【図４】本考案の画像処理装置のスムージング処理を説明するための図
【図５】９００×９００ｄｐｉのラスターデータの画素の位置を示す図
【図６】９００×９００ｄｐｉのラスターデータの画素の位置と３００×６００ｄｐｉの出力画像データの出力画素の位置とを対応付けた図
【図７】フィルタの値の算出方法を説明するための図
【図８】インクジェット記録装置の概略構成図
【図９】スムージング処理を施さなかった場合における文字のエッジ部分を示す図（Ａ）、スムージング処理を施した場合における文字のエッジ部分を示す図（Ｂ）
【図１０】従来のスムージング処理を説明するための図
【符号の説明】
【００５５】
１０    コンピュータ
２０    ＲＩＰ処理部
２１    ＲＩＰ解像度取得部
３０    ＲＧＢ−ＣＭＹＫ変換部
４０    スムージング処理部
４１    フィルタ値取得部
４２    フィルタサイズ取得部
４３    入力解像度取得部
５０    スクリーニング処理部
６０    インクジェット記録装置
６１    インクジェットヘッドユニット
６２    給紙部
６３    ベルト搬送部
６４    両面用ベルト搬送部
６５    両面用スタックトレー
６６    排紙部
６７    タッチパネル
６８    ローラ対
６９    搬送路
７０    制御部
【図１】
0003119124.tif 000003
【図２】
0003119124.tif 000004
【図３】
0003119124.tif 000005
【図４】
0003119124.tif 000006
【図５】
0003119124.tif 000007
【図６】
0003119124.tif 000008
【図７】
0003119124.tif 000009
【図８】
0003119124.tif 000010
【図９】
0003119124.tif 000011
【図１０】
0003119124.tif 000012